(57)【特許請求の範囲】
【請求項１】
噴射ノズルから液体を噴射する液体噴射装置であって、
前記液体が供給されるとともに、前記噴射ノズルが設けられた流路管に接続された液体室と、
駆動電圧が印加されることによって、前記液体室の容積を前記駆動電圧が印加される前よりも減少させる液体室容積減少部と、
前記液体室に前記液体が供給された状態で、前記駆動電圧を前記液体室容積減少部に対して印加する駆動電圧印加手段と、
前記液体室容積減少部に前記駆動電圧を印加した時に発生する駆動音に含まれる可聴周波数成分のうちの少なくとも一部の周波数成分を有する疑似駆動音の音データを記憶している疑似駆動音データ記憶手段と、
前記駆動電圧を印加した時に、前記疑似駆動音の音データを用いて、前記駆動音の可聴周波数範囲での音圧を減少させるように前記疑似駆動音を出力する疑似駆動音出力手段と、
を備え、
前記噴射ノズルから液体を噴射することにより生体組織を切開あるいは切除する手術方法に用いられるものであること、
を特徴とする液体噴射装置。
【請求項２】
請求項１に記載の液体噴射装置であって、
前記疑似駆動音データ記憶手段は、前記液体室容積減少部に印加される前記駆動電圧に応じて、前記疑似駆動音の音データを記憶している手段である液体噴射装置。
【請求項３】
請求項１または請求項２に記載の液体噴射装置であって、
前記疑似駆動音出力手段は、前記駆動電圧を印加した時から遅れて前記疑似駆動音を出力することにより、前記駆動音の可聴周波数範囲での音圧を減少させる手段である液体噴射装置。
【請求項４】
請求項３に記載の液体噴射装置であって、
前記疑似駆動音出力手段は、前記駆動電圧の印加から遅れて前記疑似駆動音を出力する時期を調整する出力時期調整手段を有している液体噴射装置。
【請求項５】
請求項１または請求項２に記載の液体噴射装置であって、
前記疑似駆動音データ記憶手段は、前記駆動音に対して少なくとも一部の可聴周波数成分については逆位相となる前記疑似駆動音の音データを記憶しており、
前記疑似駆動音出力手段は、前記駆動電圧が印加される時期に合わせて前記疑似駆動音を出力することにより、前記駆動音の可聴周波数範囲での音圧を減少させる手段である液体噴射装置。
【請求項６】
請求項１ないし請求項５の何れか一項に記載の液体噴射装置であって、
前記駆動電圧の印加によって発生する前記駆動音を取得する駆動音取得手段と、
前記取得された前記駆動音に基づいて前記疑似駆動音の音データを生成した後、前記疑似駆動音データ記憶手段に記憶させる疑似駆動音データ生成手段と
を備える液体噴射装置。
【請求項７】
請求項１ないし請求項５の何れか一項に記載の液体噴射装置であって、
前記疑似駆動音データ記憶手段は、前記疑似駆動音の音データとして、前記駆動音に含まれる可聴周波数成分の中の何れか一つの周波数の正弦波形の音データを記憶している手段である液体噴射装置。
【請求項８】
請求項７に記載の液体噴射装置であって、
前記疑似駆動音出力手段は、
前記正弦波形の位相あるいは振幅の少なくとも一方を調整する正弦波調整手段を有しており、
前記正弦波形の位相あるいは振幅の少なくとも一方が調整された前記疑似駆動音の音データを用いて、前記疑似駆動音を出力する手段である液体噴射装置。
【発明の詳細な説明】
【技術分野】
【０００１】
本発明は、噴射ノズルから液体を噴射する技術に関する。
【背景技術】
【０００２】
近年、手術手法の一つとして、水や生理食塩水などの液体を噴射ノズルから高圧で噴き
付けることにより、生体組織を切開あるいは切除する手法が開発されている。こうした手
術手法に用いられる液体噴射装置は、大まかには、噴射ノズルから噴射する液体が充填さ
れる液体室と、液体室の容積を変化させるアクチュエーターとによって構成されている（
例えば、特許文献１）。アクチュエーターが駆動（伸長）することによって液体室の容積
を減少させるので、液体室内の液体が加圧されて噴射ノズルから高圧の液体が噴射される
ようになっている。
【０００３】
このような液体噴射装置では、液体室内に気泡が存在すると、気泡が収縮して液体室内
にかかる圧力を吸収してしまうので、液体室内の液体を十分に加圧することができず、生
体組織を切開・切除する能力が低下してしまう。そのため、液体室内に気泡が混入あるい
は発生した場合には、手術を一旦止めて、気泡を噴射ノズルから排出させるなどによって
液体室内の気泡を取り除く必要がある。
【０００４】
また、こうした液体噴射装置の正常動作時（液体室内に気泡の混入などがないとき）に
は、アクチュエーターが伸長して液体室内の液体を加圧する際の反力に基づいて駆動音（
主にアクチュエーターを固定する部材からの振動音など）が発生する。これに対して、液
体室内に気泡が混入するなどの動作異常が発生すると、液体噴射装置から発生する駆動音
が小さくなる（駆動音の周波数や振幅が変化する）という傾向がある。
【先行技術文献】
【特許文献】
【０００５】
【特許文献１】特開２００８−０８２２０２号公報
【発明の概要】
【発明が解決しようとする課題】
【０００６】
しかしながら、このように気泡混入などの動作異常によって駆動音が小さくなるという
液体噴射装置の傾向は、一般的に装置に何らかの動作異常が生じると大きな異常音が発生
するという常識とは全く逆であることから、液体噴射装置の操作者が動作異常の発生（液
体室内の気泡の存在）に気付かないまま、使用を継続してしまうおそれがあるという問題
があった。
【０００７】
この発明は、従来の技術が有する上述した課題を解決するためになされたものであり、
液体室内に気泡が混入するなどの動作異常が発生したことを、操作者が容易に認識可能と
する技術の提供を目的とする。
【課題を解決するための手段】
【０００８】
上述した課題の少なくとも一部を解決するために、本発明の液体噴射装置は次の構成を
採用した。すなわち、
噴射ノズルから液体を噴射する液体噴射装置であって、
前記液体が供給されるとともに、前記噴射ノズルに接続された液体室と、
駆動電圧が印加されることによって、前記液体室の容積を前記駆動電圧が印加される前
よりも減少させる液体室容積減少部と、
前記液体室に前記液体が供給された状態で、前記駆動電圧を前記液体室容積減少部に対
して印加する駆動電圧印加手段と、
前記液体室容積減少部に前記駆動電圧を印加した時に発生する駆動音に含まれる可聴周
波数成分のうちの少なくとも一部の周波数成分を有する疑似駆動音の音データを記憶して
いる疑似駆動音データ記憶手段と、
前記駆動電圧を印加した時に、前記疑似駆動音の音データを用いて、前記駆動音の可聴
周波数範囲での音圧を減少させるように前記疑似駆動音を出力する疑似駆動音出力手段と
を備えることを要旨とする。
【０００９】
このような本発明の液体噴射装置においては、液体室に液体が供給された状態で、液体
室容積減少部に駆動電圧を印加することにより、液体室内の液体を加圧して噴射ノズルか
らパルス状に噴射することができる。また、駆動電圧を印加した時に液体室内の液体を加
圧する反力で駆動音が発生する。本発明の液体噴射装置では、この駆動音に含まれる可聴
周波数成分のうちの少なくとも一部の周波数成分を有する疑似駆動音の音データを記憶し
ている。そして、駆動電圧を印加した時に、疑似駆動音の音データを用いて、駆動音の可
聴周波数範囲での音圧を減少させるように疑似駆動音を出力するようになっている。尚、
「駆動音の可聴周波数範囲での音圧を減少させる」とは、駆動音を完全に打ち消さなくて
もよく、疑似駆動音が出力されない場合に比べて液体噴射装置の操作者に聞こえる駆動音
の音量が小さくなっていればよい。
【００１０】
このような構成によれば、液体室内に気泡が混入していないときには、駆動電圧の印加
によって発生する駆動音の少なくとも一部を、駆動電圧を印加した時に出力される疑似駆
動音が打ち消すことにより、液体噴射装置の操作者には、疑似駆動音が出力されない場合
に比べて静かに感じられる。一方、液体室内に気泡が混入すると、気泡が圧縮されること
で液体室内の液体を加圧する際の反力が変化し、それに伴って、駆動電圧の印加によって
発生する駆動音の周波数や音圧が変化する。その結果、記憶されている音データを用いて
出力される疑似駆動音が、変化した駆動音を打ち消さなくなるので、変化した駆動音と疑
似駆動音とが何れも操作者に聞こえるようになる。このように、液体室内に気泡がないと
きには、駆動音を打ち消して静音化させていたはずの疑似駆動音が、液体室内に気泡が混
入して駆動音が変化すると、逆に騒音（警報音）となることから、操作者には、液体噴射
装置から聞こえる音が急に大きくなったように感じられて、液体室内への気泡の混入を容
易に認識することが可能となる。
【００１１】
また、液体室内に混入した気泡が噴射ノズルから排出されるなどによって気泡のない状
態に戻ると、再び駆動音と疑似駆動音とが互いに打ち消し合うようになり、操作者には、
騒音が小さくなったように感じられることから、液体室内の気泡が排除されたことを容易
に確認することができる。このように、液体室内の気泡の有無と、操作者が感じる駆動音
の大小との関係を、異常が発生すると駆動音が大きくなるという常識的な関係とすること
ができるので、操作者は、気泡の有無を直感的に認識することができる。このため、液体
噴射装置を常に適切な状態で使用することが可能となる。
【００１２】
こうした本発明の液体噴射装置では、液体室容積減少部に印加される駆動電圧に応じて
、疑似駆動音の音データを記憶しておいてもよい。
【００１３】
液体噴射装置では、噴射ノズルから液体を噴射する態様を切り換えるために、液体室容
積減少部に印加される駆動電圧（例えば、印加される駆動電圧の大きさや、印加される駆
動電圧の波形、あるいは駆動電圧が印加される周期など）を変更することが可能となって
いる。そして、液体室容積減少部に印加される駆動電圧を変更すると、駆動電圧の印加に
よって発生する駆動音の周波数や音圧も変化する。そこで、液体室容積減少部に印加され
る駆動電圧に応じて、駆動音の音圧を減少させる（静音化する）のに適した疑似駆動音の
音データを記憶しておけば、印加される駆動電圧に対応する疑似駆動音の音データを用い
て疑似駆動音を出力することにより、駆動音を適切に静音化しておくことができる。その
結果、液体室内に気泡が混入した際には、騒音となって聞こえる疑似駆動音がより大きな
ものに感じられるので、操作者は、液体室内への気泡の混入を一層認識し易くなる。
【００１４】
また、こうした本発明の液体噴射装置では、駆動電圧を印加した時から遅れて疑似駆動
音を出力することで、駆動音の可聴周波数範囲での音圧を減少させるようにしてもよい。
【００１５】
駆動音は、駆動電圧が印加される時に発生する。一方、駆動電圧を印加した時から遅れ
て疑似駆動音を出力することにより、駆動音の少なくとも一部を疑似駆動音が打ち消すよ
うに疑似駆動音の位相をずらすことができる。その結果、液体室内に気泡が混入した際に
は、操作者は、液体室内への気泡の混入を容易に認識することができる。
【００１６】
上述した本発明の液体噴射装置では、駆動電圧の印加から遅れて疑似駆動音を出力する
時期を調整する出力時期調整手段を設けておいてもよい。
【００１７】
実際に発生する駆動音が最も静音化されるように疑似駆動音の出力時期を調整可能とし
ておけば、適切な出力時期を容易に設定することができるとともに、適切に駆動音を静音
化しておくことが可能となる。
【００１８】
また、前述した本発明の液体噴射装置では、駆動音に対して少なくとも一部の可聴周波
数成分については逆位相となる疑似駆動音を、駆動電圧が印加される時期に合わせて出力
することで、駆動音の可聴周波数範囲での音圧を減少させるようにしてもよい。
【００１９】
前述したように駆動音は、駆動電圧が印加される時に発生する。そして、この駆動音に
対して逆位相となる疑似駆動音を、同じく駆動電圧が印加される時期に合わせて出力すれ
ば、駆動音の少なくとも一部を疑似駆動音によって打ち消すことができるので、駆動音を
静音化しておくことが可能となる。また、駆動電圧が印加される時期に合わせて疑似駆動
音を出力するだけでよいので、出力時期の管理が容易となる。
【００２０】
また、こうした本発明の液体噴射装置では、次のようにしてもよい。先ず、駆動電圧の
印加によって発生する駆動音を駆動音取得手段によって取得する。そして、取得された駆
動音に基づいて疑似駆動音の音データを生成した後、記憶する。
【００２１】
このようにすれば、駆動電圧の印加によって実際に発生する駆動音に基づいて、この駆
動音を静音化するのに適した疑似駆動音の音データを生成することができる。そのため、
疑似駆動音の音データを用いて出力する疑似駆動音によって駆動音を適切に打ち消して静
音化しておくことが可能となる。その結果、液体室内に気泡が混入した際に、操作者は、
液体室内への気泡の混入を容易に認識することができる。
【００２２】
また、前述した本発明の液体噴射装置では、疑似駆動音の音データとして、駆動音に含
まれる可聴周波数成分の中の何れか一つの周波数の正弦波形の音データを記憶しておいて
もよい。
【００２３】
駆動電圧の印加によって実際に発生する駆動音には、様々な周波数成分が含まれている
。そのため、疑似駆動音の音データとして、駆動音に含まれる可聴周波数成分の中の何れ
か一つの周波数の正弦波形の音データを用いて疑似駆動音を出力するようにすれば、駆動
音の静音化を簡便に実現することができる。特に、駆動音の中で最も大きな音圧を有する
周波数の正弦波形の音データを用いて疑似駆動音を出力すれば、高い静音効果を得ること
ができる。
【００２４】
上述した本発明の液体噴射装置では、次のようにしてもよい。先ず、正弦波形の位相あ
るいは振幅の少なくとも一方を調整する正弦波調整手段を設けておく。そして、正弦波形
の位相あるいは振幅の少なくとも一方が調整された疑似駆動音の音データを用いて、疑似
駆動音を出力する。
【００２５】
このように正弦波形の位相や振幅を実際の駆動音に合わせて調整可能としておけば、出
力する疑似駆動音の波形を駆動音の波形に近づけることができるので、駆動音を静音化す
る精度を高めることが可能となる。
【図面の簡単な説明】
【００２６】
【図１】本実施例の液体噴射装置の大まかな構成を示した説明図である。
【図２】本実施例の液体噴射装置に搭載された噴射機構の構成を示した断面図である。
【図３】噴射機構のケースに貫通孔が設けられている様子を示した説明図である。
【図４】本実施例の液体噴射装置がキャンセル音を出力するために実行する処理（キャンセル音制御処理）の流れを示したフローチャートである。
【図５】噴射機構の液体室内に気泡が混入するなどの動作異常が発生した場合に、キャンセル音が警報音として機能する様子を示した説明図である。
【図６】第１変形例の液体噴射装置に搭載された噴射機構の構成を示した説明図である。
【図７】複数設定されている駆動電圧パターン毎に、固有のキャンセル音データが対応関係とともに予め記憶されている様子を概念的に示した説明図である。
【図８】第２変形例の液体噴射装置において、正弦波のキャンセル音データを用いて出力するキャンセル音によって駆動音を消音する様子を示した説明図である。
【発明を実施するための形態】
【００２７】
以下では、上述した本願発明の内容を明確にするために、次のような順序に従って実施
例を説明する。
Ａ．装置構成：
Ａ−１．液体噴射装置の構成：
Ａ−２．噴射機構の構成：
Ｂ．本実施例のキャンセル音出力動作：
Ｃ．変形例：
Ｃ−１．第１変形例：
Ｃ−２．第２変形例：
【００２８】
Ａ．装置構成  ：
Ａ−１．液体噴射装置の構成  ：
図１は、本実施例の液体噴射装置１０の大まかな構成を示した説明図である。図示した
液体噴射装置１０は、水や生理食塩水などの液体を高圧で噴き付けることで生体組織を切
開あるいは切除する手術方法に用いられるものであるが、これ以外の用途に用いられるも
のであっても構わない。
【００２９】
図示されているように、本実施例の液体噴射装置１０は、水や生理食塩水などの液体を
加圧して噴射するための噴射機構５０や、噴射する液体を噴射機構５０に供給するための
供給ポンプ１５０や、噴射する液体を収容する液体タンク１６０などから構成されている
。供給ポンプ１５０は、液体通路１５２によって液体タンク１６０と接続されており、供
給ポンプ１５０が液体タンク１６０から吸い上げた液体は、接続チューブ１４０を介して
噴射機構５０に供給される。
【００３０】
噴射機構５０には、先端に噴射口１３２（噴射ノズル）が設けられた流路管１３０が接
続されており、噴射機構５０内で加圧された液体は、流路管１３０を通って先端の噴射口
１３２から噴射される。液体噴射装置１０の操作者は、噴射機構５０のケース１００を把
持し、切開あるいは切除する生体組織に噴射口１３２を向けて液体を噴射することにより
、生体組織を切開あるいは切除することが可能となっている。
【００３１】
Ａ−２．噴射機構の構成  ：
図２は、本実施例の液体噴射装置１０に搭載された噴射機構５０の構成を示した断面図
である。図２（ａ）に示されているように、噴射機構５０は、プラスチックなどの軽量で
一定の強度を有する材料で形成されたケース１００の内部に、水や生理食塩水などの液体
が充填される液体室１０２や、供給ポンプ１５０によって供給される液体を液体室１０２
まで導く供給流路１０４や、液体室１０２内の液体を流路管１３０へと導く噴射流路１０
６などが設けられている。この液体室１０２の一端面は、金属薄板などで形成されたダイ
アフラム１０８によって構成されている。
【００３２】
また、噴射機構５０のケース１００内には、液体室１０２の容積を変化させるアクチュ
エーターとしてのピエゾ素子１１０が設けられている。このピエゾ素子１１０は、底板と
呼ばれる板状部材１１４に固定されている。そして、筒状に形成されたハウジング１１２
内にピエゾ素子１１０を収納して板状部材１１４をハウジング１１２に固定した状態では
、ダイアフラム１０８の液体室１０２とは反対側の面にピエゾ素子１１０が接するように
なっており、ピエゾ素子１１０とダイアフラム１０８とが接着されている。このように配
置されたピエゾ素子１１０は、駆動電圧を印加すると伸長することから、これを利用して
次のように液体を噴射するようになっている。
【００３３】
先ず、ピエゾ素子１１０に駆動電圧を印加していない状態では、図２（ａ）に示すよう
に、ピエゾ素子１１０は伸長しておらず、液体室１０２は、供給ポンプ１５０から供給さ
れる水や生理食塩水などの液体によって満たされる。このように液体室１０２が液体で満
たされた状態で、図示しない電源（駆動電圧印加手段）からピエゾ素子１１０に駆動電圧
を印加すると、図２（ｂ）に示すように、ピエゾ素子１１０が伸長してダイアフラム１０
８を液体室１０２に向けて押すので、液体室１０２の容積は減少し、液体室１０２内の液
体が加圧される。尚、液体室１０２には、前述したように供給流路１０４および噴射流路
１０６の２つの流路が接続されているが、これらの流路はいずれも細く形成されているた
め、ピエゾ素子１１０の伸長により液体室１０２の容積を減少させることで液体室１０２
内の液体を十分に加圧することができる。このように、ピエゾ素子１１０とダイアフラム
１０８とは、液体室１０２の容積を減少させる液体室容積減少部を構成している。
【００３４】
こうして液体室１０２内で加圧された液体は、液体室１０２に接続された噴射流路１０
６に向けて押し出される。このとき、液体室１０２内の液体は、噴射流路１０６だけでな
く供給流路１０４に向けても押し出されるが、流路への液体の流入し易さは、流路の長さ
や流路の断面積等によって定まるので、供給流路１０４および噴射流路１０６の長さや断
面積を適切に設定しておけば、供給流路１０４への液体の流入量を噴射流路１０６への液
体の流入量に比べて少なくすることが可能である。そのため、液体室１０２内で加圧され
た液体は、もっぱら噴射流路１０６に向けて押し出され、流路管１３０を通って先端の噴
射口１３２から高い流速で噴射される。尚、本実施例の液体噴射装置１０では、噴射口１
３２の内径が流路管１３０の内径よりも小さく設定されていることから、噴射口１３２か
ら噴射される液体の流速をさらに高めることが可能である。
【００３５】
以上のようにして液体を噴射したら、ピエゾ素子１１０への駆動電圧の印加を停止する
（駆動電圧を減少させる）ことによりピエゾ素子１１０は元の長さに戻ることから、それ
に伴って液体室１０２の容積も元に戻り、供給ポンプ１５０から液体室１０２に液体が供
給される（図２（ａ）参照）。その後、再度駆動電圧を印加することよりピエゾ素子１１
０を伸長させれば（図２（ｂ）参照）、噴射口１３２から再び液体を高い流速で噴射する
ことができる。こうした動作を繰り返すことにより、本実施例の液体噴射装置１０では、
高い流速の液体をパルス状に噴射することが可能となっており、高い流速で噴射された液
体が生体組織に衝突する際の高い圧力を利用して、生体組織を切開あるいは切除する能力
を高めている。
【００３６】
その一方で、液体を噴射するためにピエゾ素子１１０を駆動させると、噴射機構５０の
内部から液体噴射装置１０の操作者にとって耳障りな駆動音が発生する。この駆動音は、
ピエゾ素子１１０の伸縮動作自体や、ピエゾ素子１１０が液体室１０２内の液体を加圧す
る際の反力により、ピエゾ素子１１０を固定する板状部材１１４やハウジング１１２など
が振動することで発生する。
【００３７】
そこで、本実施例の液体噴射装置１０には、液体の噴射に伴って発生する駆動音を消音
する（駆動音の音圧を減少させる）ための消音機構１１８が設けられている。図２（ａ）
に示されているように、消音機構１１８は、噴射機構５０で発生する駆動音をサンプリン
グするマイクロホン１２０（駆動音取得手段）と、サンプリングした駆動音を打ち消す（
相殺する）キャンセル音（疑似駆動音）を発生させるスピーカー１２２（疑似駆動音出力
手段）と、サンプリングした駆動音に基づいて発生させるキャンセル音を制御するキャン
セル音制御部１２４などから構成されている。本実施例の噴射機構５０のケース１００内
には、ハウジング１１２や板状部材１１４の周囲に空間１１６が設けられており、この空
間１１６にマイクロホン１２０およびスピーカー１２２が設置されている。また、スピー
カー１２２は、駆動音の主な発生源である板状部材１１４に向けて設置されている。本実
施例では、キャンセル音制御部１２４は、噴射機構５０のケース１００とは別体に設けら
れているが、スペースに余裕があれば、噴射機構５０のケース１００内に設けておいても
よい。
【００３８】
加えて、噴射機構５０のケース１００には、内側の空間１１６から外側に貫通する貫通
孔１２６が設けられており、本実施例では、図３に示すように、スピーカー１２２が取り
付けられたケース１００の端面に、スピーカー１２２を取り囲むようにして６つの貫通孔
１２６が設けられている。詳しくは後述するが、本実施例の液体噴射装置１０では、噴射
機構５０の液体室１０２に気泡が混入するなどの動作異常が発生すると、スピーカー１２
２から出力されるキャンセル音が貫通孔１２６から漏れ聞こえることによって、液体噴射
装置１０の操作者が動作異常の発生を容易に認識することが可能となっている。尚、貫通
孔１２６には、ケース１００の内部に異物が入ることを防止するためにメッシュ部材が嵌
め込まれている。
【００３９】
本実施例の液体噴射装置１０では、以上のような噴射機構５０によって、噴射口１３２
から高い流速の液体をパルス状に噴射するとともに、液体の噴射に伴って発生する駆動音
を消音するようになっている。以下では、本実施例の液体噴射装置１０において、液体の
噴射に伴って発生する駆動音を消音するためにキャンセル音を出力する動作について説明
する。
【００４０】
Ｂ．本実施例のキャンセル音出力動作  ：
図４は、本実施例の液体噴射装置１０がキャンセル音を出力するために実行する処理（
キャンセル音制御処理）の流れを示したフローチャートである。この処理は、液体の噴射
が開始されると、キャンセル音制御部１２４（疑似駆動音データ生成手段に相当）によっ
て実行される。
【００４１】
キャンセル音制御処理を開始すると、先ず初めに、液体の噴射に伴って噴射機構５０の
ケース１００内で発生する駆動音を、ケース１００内に設置したマイクロホン１２０でサ
ンプリングする（ステップＳ１００）。前述したように、本実施例の液体噴射装置１０で
は、ピエゾ素子１１０に駆動電圧を印加することにより液体をパルス状に噴射するように
なっている。そして、駆動音は、駆動電圧の印加によりピエゾ素子１１０が伸長すること
に伴って発生することから、ステップＳ１００では、駆動電圧の印加から次の駆動電圧の
印加までを一周期として駆動音をサンプリングするようになっている。
【００４２】
駆動音をサンプリングしたら、続いて、サンプリングした駆動音の位相を反転させて逆
位相のキャンセル音データ（疑似駆動音の音データ）を生成した後（ステップＳ１０２）
、生成したキャンセル音データを記憶する（ステップＳ１０４）。詳しくは後述するが、
駆動音の周波数は、ピエゾ素子１１０に印加される駆動電圧の周波数（駆動周波数）に依
存しており、駆動周波数の整数倍の周波数帯に強い成分を有している。また、本実施例の
液体噴射装置１０では、キャンセル音制御部１２４にキャンセル音データ記憶部（疑似駆
動音データ記憶手段）が設けられており、生成したキャンセル音データは、このキャンセ
ル音データ記憶部に記憶される。
【００４３】
こうして駆動音に対して逆位相のキャンセル音データを記憶すると、ピエゾ素子１１０
に駆動電圧が印加されるタイミングで、キャンセル音データをスピーカー１２２に送信す
ることにより、キャンセル音をスピーカー１２２から出力する（ステップＳ１０６）。前
述したように、スピーカー１２２は、駆動音の主な発生源である板状部材１１４に向けて
設置されており（図２（ａ）参照）、駆動音とスピーカー１２２からのキャンセル音とが
互いに打ち消し合うことによって、液体噴射装置１０の操作者にとって耳障りな駆動音が
消音される（駆動音の音圧が減少する）。
【００４４】
キャンセル音データをスピーカー１２２に送信してキャンセル音を出力したら、液体の
噴射を停止したか否かを判断する（ステップＳ１０８）。液体の噴射を停止しているとき
、すなわちピエゾ素子１１０が駆動していないときには、駆動音は発生せず、キャンセル
音を出力する必要がないことから、ステップＳ１０８では、液体の噴射を停止したか否か
を確認することとしている。
【００４５】
そして、液体の噴射を継続している場合は（ステップＳ１０８：ｎｏ）、液体の噴射に
伴って発生する駆動音を消音するため、ステップＳ１０６の処理に戻って、ピエゾ素子１
１０に駆動電圧が印加されるタイミングでキャンセル音データをスピーカー１２２に送信
し、スピーカー１２２からキャンセル音を出力する。こうしてピエゾ素子１１０に駆動電
圧が印加される度に、スピーカー１２２からキャンセル音を出力する処理を繰り返すうち
に、液体の噴射を停止した場合は（ステップＳ１０８：ｙｅｓ）、図４のキャンセル音制
御処理を終了する。
【００４６】
本実施例の液体噴射装置１０では、以上のようなキャンセル音制御処理を実行して、駆
動音とは逆位相のキャンセル音をスピーカー１２２から出力することにより、液体の噴射
に伴って発生する駆動音を消音している。ここで、前述したように、実施例の液体噴射装
置１０では、マイクロホン１２０でサンプリングした駆動音から生成したキャンセル音デ
ータを記憶し、記憶しているキャンセル音データを用いてキャンセル音を出力している。
このように固定のキャンセル音を出力して駆動音を消音することにより、液体室１０２に
気泡が混入するなどの動作異常が発生した場合には、キャンセル音が警報音として機能す
ることから、液体噴射装置１０の操作者が動作異常の発生を容易に認識することが可能と
なっている。以下では、この点について詳しく説明する。
【００４７】
図５は、噴射機構５０の液体室１０２内に気泡が混入するなどの動作異常が発生した場
合に、キャンセル音が警報音として機能する様子を示した説明図である。先ず、図５（ａ
）には、液体を噴射するためにピエゾ素子１１０に駆動電圧を印加する様子が例示されて
いる。前述したように、ピエゾ素子１１０に駆動電圧が印加されると、ピエゾ素子１１０
が伸長して液体室１０２の容積を減少させるので、液体室１０２内で加圧された液体が噴
射口１３２から噴射される。その後、ピエゾ素子１１０に印加される駆動電圧が減少する
と、ピエゾ素子１１０が元の長さに戻り、それに伴って液体室１０２の容積も回復して液
体が液体室１０２に充填される。すると、再び駆動電圧がピエゾ素子１１０に印加されて
、噴射口１３２から高圧の液体が噴射される。このようにピエゾ素子１１０に駆動電圧を
印加することにより、液体をパルス状に噴射することが可能となっている。
【００４８】
液体をパルス状に噴射するのに伴って、噴射機構５０のケース１００内では駆動音が発
生する。図５（ｂ）には、液体の噴射に伴って発生する駆動音の波形が例示されている。
この駆動音は、主に、ピエゾ素子１１０が伸長することでダイアフラム１０８を押して液
体室１０２内の液体を加圧する際に、その反力により、ピエゾ素子１１０を固定する板状
部材１１４やハウジング１１２などが振動することで発生している。そのため、駆動音の
振幅（音圧）は、ピエゾ素子１１０に駆動電圧が印加されるのと同期して大きくなり、駆
動電圧が減少すると、駆動音の振幅も減衰する傾向にある。また、駆動音の周波数は、ピ
エゾ素子１１０に印加される駆動電圧の周波数（駆動周波数）に依存しており、駆動周波
数の整数倍の周波数帯に強い成分を有している。図５（ｂ）に例示した駆動音では、駆動
周波数の１０倍の周波数（例えば、駆動周波数が３００Ｈｚであれば３ｋＨｚ）の音圧が
最も大きく、駆動音の主成分となっている。
【００４９】
本実施例の液体噴射装置１０では、このような駆動音に対してスピーカー１２２からキ
ャンセル音を出力することよって、駆動音を消音している。図５（ｃ）には、スピーカー
１２２から出力するキャンセル音の波形が例示されている。前述したように、スピーカー
１２２に送信するキャンセル音データは、ピエゾ素子１１０への駆動電圧の印加から次の
駆動電圧の印加までを一周期としてマイクロホン１２０でサンプリングした駆動音の位相
を反転させて生成している。そのため、キャンセル音は、駆動音に対して周波数や振幅は
同じであり、位相だけが逆になっている。そして、生成したキャンセル音データを記憶し
ておき、ピエゾ素子１１０に駆動電圧が印加される度に、記憶されているキャンセル音デ
ータをスピーカー１２２に送信してキャンセル音を出力するようになっている。
【００５０】
図５（ｄ）には、図５（ｂ）に示した駆動音の波形と、図５（ｃ）に示したキャンセル
音の波形とが重ね合わされた波形が示されており、液体噴射装置１０の操作者には、この
重ね合わされた波形の音が聞こえることになる。先ず、スピーカー１２２からキャンセル
音が出力されていない状態では、駆動音がそのまま放出されてしまうので、操作者には、
駆動音が聞こえる。しかし、駆動音とは逆位相のキャンセル音がスピーカー１２２から出
力されると、駆動音とキャンセル音とが互いに打ち消し合うことで消音されるので、操作
者には、噴射機構５０からの音はほとんど聞こえなくなる。尚、液体室１０２内に気泡が
ない状態で、ピエゾ素子１１０への駆動電圧の印加が一定のパターンで行われていれば、
発生する駆動音はほぼ一定であることから、本実施例のように記憶されているキャンセル
音データを用いてキャンセル音を出力しても、駆動音を消音する（駆動音の音圧を減少さ
せる）ことができる。
【００５１】
一方、液体室１０２内に気泡が混入あるいは発生すると、図５（ｂ）に示すように、駆
動音が変化する。これは、次のような理由によるものである。先ず、前述したように、駆
動音は、ピエゾ素子１１０が液体室１０２内の液体を加圧する際の反力によって、主に板
状部材１１４やハウジング１１２などが振動して発生する。しかし、液体室１０２内に気
泡が存在すると、ピエゾ素子１１０が液体室１０２内の液体を加圧する際に気泡が収縮し
て圧力を吸収してしまうので、反力が弱まり、その結果、駆動音の周波数や振幅（音圧）
が変化する。図５（ｂ）に示した例では、液体室１０２内に気泡が存在しないとき（正常
動作中）の駆動音の主成分であった周波数（駆動周波数の１０倍の周波数）の音圧が著し
く低下している。また、こうした気泡の存在によって液体室１０２内の液体は十分に加圧
されず、噴射口１３２から噴射される液体の勢いも弱まるので、生体組織を切開あるいは
切除する能力が低下してしまう。したがって、液体室１０２内に気泡が混入あるいは発生
した場合には、液体噴射装置１０の操作者は、手術を一旦止めて、気泡を噴射口１３２か
ら排出させるなどによって取り除く必要がある。加えて、ピエゾ素子１１０の駆動に伴っ
て発生する駆動音が小さくなるという傾向は、液体室１０２内に気泡が存在するとき以外
にも、例えば、ダイアフラム１０８が破損するなどによりピエゾ素子１１０が液体室１０
２内の液体を適切に加圧できないときにも見られる。この場合には、液体噴射装置１０の
使用を中止しなければならない。
【００５２】
本実施例の液体噴射装置１０では、このように液体室１０２内に気泡が混入するなどに
よって駆動音が変化した場合でも、記憶されているキャンセル音データをそのまま用いて
キャンセル音を出力しているので、図５（ｃ）に示すように、気泡混入の前後で、スピー
カー１２２から出力されるキャンセル音が変化することはない。そのため、気泡の混入な
どで変化した駆動音と、スピーカー１２２から出力されるキャンセル音とは、周波数や振
幅が一致せず、互いに打ち消し合うことができなくなる。
【００５３】
図５（ｄ）に示した例では、液体室１０２内に気泡が混入して駆動音の音圧が減少する
ことにより、スピーカー１２２から出力されるキャンセル音が打ち消されずに残ってしま
っている。そして、前述したように、本実施例の噴射機構５０のケース１００には、貫通
孔１２６が設けられていることから（図３参照）、液体室１０２内に気泡が混入するとい
った動作異常が発生した場合には、打ち消されなかったキャンセル音が貫通孔１２６から
漏れ聞こえるようになる。このように、液体噴射装置１０の正常動作中は、駆動音を打ち
消して消音させていたはずのキャンセル音が、動作異常が発生すると、逆に騒音（警報音
）となって液体噴射装置１０の操作者に聞こえるようになることから、操作者に動作異常
の発生を容易に認識させることができる。尚、図５（ｂ）に示した例とは異なり、液体室
１０２内に気泡が混入するなどによって、駆動音の振幅（音圧）は維持したまま、周波数
だけが変化する場合もある。この場合には、駆動音とキャンセル音とが逆位相の関係とな
らず相乗することによって、さらに大きな異音が聞こえるようになる。
【００５４】
以上に説明したように、本実施例の液体噴射装置１０では、液体の噴射に伴って発生す
る駆動音をサンプリングして生成した逆位相のキャンセル音データを記憶しておき、ピエ
ゾ素子１１０に駆動電圧が印加される度に、記憶されているキャンセル音データを用いて
スピーカー１２２からキャンセル音を出力することで駆動音を消音している。そのため、
噴射機構５０の液体室１０２内に気泡が混入するなどの動作異常が発生して駆動音が変化
すると、キャンセル音で駆動音を打ち消すことができなくなるとともに、キャンセル音自
体が操作者に聞こえるようになる。液体噴射装置１０の操作者にとっては、それまで聞こ
えなかった騒音（警報音）が噴射機構５０から急に発生するようになったと感じられるの
で、動作異常の発生を容易に認識することが可能となる。
【００５５】
また、本実施例の液体噴射装置１０では、ピエゾ素子１１０への駆動電圧の印加から次
の駆動電圧の印加までを一周期として実際に発生する駆動音を内蔵のマイクロホン１２０
でサンプリングし、そのサンプリングした駆動音を反転させてキャンセル音データを生成
している。これにより、スピーカー１２２から出力するキャンセル音は、駆動音に対して
周波数および振幅は同じであり、しかもピエゾ素子１１０に駆動電圧が印加されるタイミ
ングで（印加される時期に合わせて）キャンセル音データをスピーカー１２２に送信する
だけで逆位相の関係となることから、正常動作中の駆動音をキャンセル音によって適切に
打ち消して高い精度で消音しておくことができる。その結果、液体室１０２内に気泡が混
入するなどの動作異常が発生した際には、騒音となって聞こえるキャンセル音に操作者が
気付き易くなるので、動作異常の発生をより確実に操作者に認識させることが可能となる
。
【００５６】
さらに、液体室１０２内に混入した気泡が噴射口１３２から排出されるなどによって動
作が回復すると、駆動音が再びキャンセル音と互いに打ち消し合うようになり、騒音が聞
こえなくなることから、液体噴射装置１０が正常な状態に復帰したことを容易に確認する
ことができる。
【００５７】
Ｃ．変形例  ：
以下に第１変形例、第２変形例について説明する。第１変形例、第２変形例の説明にあ
たっては、前述した実施例と同様の構成部分については、先に説明した実施例と同様の符
号を付し、その詳細な説明を省略する。
【００５８】
Ｃ−１．第１変形例  ：
以上に説明した実施例では、噴射機構５０にマイクロホン１２０が内蔵されており、マ
イクロホン１２０でサンプリングした駆動音からキャンセル音データを生成するようにな
っていた。しかし、正常動作中にピエゾ素子１１０の駆動に伴って発生する駆動音は、ピ
エゾ素子１１０に印加する駆動電圧のパターン毎に、ほぼ一定であると考えられるので、
ピエゾ素子１１０に印加する駆動電圧のパターンに応じて、キャンセル音データを予め記
憶しておくことも可能である。以下では、このような構成を採用した第１変形例について
説明する。
【００５９】
図６は、第１変形例の液体噴射装置１０に搭載された噴射機構５０の構成を示した説明
図である。先ず、第１変形例の液体噴射装置１０には、前述した実施例（図２参照）とは
異なり、駆動音をサンプリングするためのマイクロホン１２０が設けられていない。これ
は、第１変形例の液体噴射装置１０には、ピエゾ素子１１０に印加する駆動電圧のパター
ン（駆動電圧パターン）に応じて、キャンセル音データが予め記憶されており、前述した
実施例のようにキャンセル音データを生成するために駆動音をサンプリングする必要がな
いためである。
【００６０】
また、第１変形例の液体噴射装置１０は、複数の駆動電圧パターンが予め設定されてい
るとともに、ピエゾ素子１１０に駆動電圧を印加する動作を制御する噴射制御部２００に
駆動電圧パターン選択ダイヤル２０２が接続されていてもよい。この駆動電圧パターン選
択ダイヤル２０２を液体噴射装置１０の操作者が切り換えることによって、複数の駆動電
圧パターンの中から何れを選択することが可能となっている。各駆動電圧パターンは、印
加する駆動電圧の周波数（駆動周波数）や、印加する駆動電圧の大きさがそれぞれ異なっ
ており、操作者は、駆動電圧パターンを切り換えることで、噴射口１３２から液体をパル
ス状に噴射する噴射周期や、噴射する液体の圧力の大きさを変更することが可能となって
いる。
【００６１】
液体噴射装置１０の操作者が駆動電圧パターン選択ダイヤル２０２で何れかの駆動電圧
パターンを選択して液体の噴射を開始させると、噴射制御部２００は、駆動電圧パターン
選択ダイヤル２０２で選択されている駆動電圧パターンに従って、ピエゾ素子１１０に駆
動電圧を印加することにより、ピエゾ素子１１０を駆動させる。また、噴射制御部２００
は、スピーカー１２２から出力するキャンセル音を制御するキャンセル音制御部１２４と
接続されており、ピエゾ素子１１０を駆動させるのに先立って、何れの駆動電圧パターン
が選択されているかをキャンセル音制御部１２４に伝達する。
【００６２】
前述したように、選択されている駆動電圧パターンが異なると、ピエゾ素子１１０の駆
動に伴って発生する駆動音も異なることから、キャンセル音制御部１２４に設けられたキ
ャンセル音データ記憶部には、図７に示すように、各駆動電圧パターンに応じて、固有の
キャンセル音データが対応関係とともに予め記憶されている。これらのキャンセル音デー
タは、液体室１０２内に気泡がない状態（正常動作状態）で、対応する駆動電圧パターン
に従ってピエゾ素子１１０に駆動電圧を印加したときに発生する駆動音を適切に消音させ
ることができるもの（例えば、駆動音の位相を反転させたもの）として設定されており、
駆動電圧の印加から次の駆動電圧の印加までを一周期として記憶されている。
【００６３】
キャンセル音制御部１２４は、図７のようなテーブルに従って、駆動電圧パターン選択
ダイヤルで選択されている駆動電圧パターンに対応するキャンセル音データを読み出し、
ピエゾ素子１１０に駆動電圧が印加されるタイミングでキャンセル音データをスピーカー
１２２に送信することで、キャンセル音を出力させている。
【００６４】
また、図６に示したように、第１変形例の液体噴射装置１０では、キャンセル音制御部
１２４に、キャンセル音データの周波数を調整するための周波数調整ダイヤル２０４、キ
ャンセル音データの振幅を調整するための振幅調整ダイヤル２０６、およびキャンセル音
データの位相を調整するための位相調整ダイヤル２０８が接続されていてもよい。さらに
、位相調整ダイヤル２０８の設定に応じて、図示しない出力時期調整手段によってキャン
セル音データを送信するタイミングを微調整可能にしてもよい。ピエゾ素子１１０の駆動
に伴って発生する駆動音は、噴射する液体（すなわち、液体室１０２に供給される液体）
の違いなどにより僅かに変化することがあることから、液体噴射装置１０の操作者は、こ
れらのダイヤルを操作して、最も消音された状態に設定することが可能となっている。
【００６５】
以上に説明したように、第１変形例の液体噴射装置１０においても、前述した実施例と
同様に、正常に動作している状態では、ピエゾ素子１１０の駆動に伴って発生する駆動音
が、スピーカー１２２から出力されるキャンセル音によって打ち消されて消音される。一
方、液体室１０２内に気泡が混入などの動作異常が発生して駆動音が変化すると、キャン
セル音で駆動音を打ち消すことができなくなるとともに、キャンセル音自体が液体噴射装
置１０の操作者に聞こえるようになることから、操作者は動作異常の発生を容易に認識す
ることができる。
【００６６】
また、第１変形例の液体噴射装置１０では、複数設定されている駆動電圧パターン毎に
、予めキャンセル音データが記憶されていることから、駆動音をサンプリングするための
マイクロホンを噴射機構５０の内部に設けておく必要がなく、噴射機構５０をコンパクト
にすることが可能となる。加えて、マイクロホンが周囲の音を拾って、それに基づいて誤
ったキャンセル音データを生成してしまうといった誤動作の可能性もなくなるので、安定
した消音状態を得ることができる。
【００６７】
さらに、周波数調整ダイヤル２０４、振幅調整ダイヤル２０６、位相調整ダイヤル２０
８を設けておけば、実際に発生する駆動音が最も消音された状態となるように、キャンセ
ル音の周波数、振幅、および位相を調整することができるので、正常動作中の駆動音を高
い精度で消音しておくことができる。その結果、液体室１０２内に気泡が混入するなどの
動作異常が発生すると、液体噴射装置１０の操作者には、騒音となって聞こえるキャンセ
ル音が大きく感じられるので、操作者は動作異常の発生を認識し易くなるという効果が得
られる。
【００６８】
Ｃ−２．第２変形例  ：
前述した実施例および第１変形例では、駆動音の位相を反転させたキャンセル音データ
を用いてキャンセル音を出力するようになっていた。しかし、キャンセル音データは、駆
動音の位相を反転させたものでなくてもよく、正弦波のキャンセル音データを用いてキャ
ンセル音を出力することとしてもよい。以下では、このような構成を採用した第２変形例
について説明する。
【００６９】
図８は、第２変形例の液体噴射装置１０において、正弦波のキャンセル音データを用い
て出力するキャンセル音により駆動音を消音する様子を示した説明図である。先ず、図８
（ａ）には、液体をパルス状に噴射するために、ピエゾ素子１１０に駆動電圧を印加する
様子が示されている。また、図８（ｂ）には、ピエゾ素子１１０の駆動に伴って発生する
駆動音の波形が例示されている。
【００７０】
このような駆動音に対して、第２変形例の液体噴射装置１０では、キャンセル音制御部
１２４から正弦波形のキャンセル音データをスピーカー１２２に送信することで、キャン
セル音を出力するようになっている。正弦波形のキャンセル音データは駆動音の中で最も
大きな音圧を有する周波数の正弦波形とすれば、高い静音効果を得ることができるため、
好ましい。
【００７１】
また、第２変形例の液体噴射装置１０にも、前述した第１変形例と同様に、キャンセル
音制御部１２４に周波数調整ダイヤル２０４、振幅調整ダイヤル２０６、および位相調整
ダイヤル２０８（正弦波調整手段）が接続されていてもよい（図６参照）。液体噴射装置
１０の操作者は、これらのダイヤルを操作することによって、駆動音が最も消音された状
態となるように、スピーカー１２２に送信するキャンセル音データの周波数、振幅、およ
び位相を調整することが可能である。キャンセル音制御部１２４は、ピエゾ素子１１０に
駆動電圧が印加される度に、調整されたキャンセル音データをスピーカー１２２に送信す
るようになっている。図８（ｃ）には、駆動音に合わせて調整されたキャンセル音データ
を用いてスピーカー１２２から出力されるキャンセル音の波形が例示されている。尚、ピ
エゾ素子１１０の駆動に伴って発生する駆動音に対して、スピーカー１２２から出力する
キャンセル音を逆位相の関係とするには、駆動音と同位相の関係にあるキャンセル音デー
タを、ピエゾ素子１１０への駆動電圧の印加から半周期分だけ遅らせてスピーカー１２２
に送信することとしてもよい。また、位相調整ダイヤル２０８の設定に応じて、図示しな
い出力時期調整手段によってキャンセル音データを送信するタイミングを微調整してもよ
い。
【００７２】
そして、図８（ｄ）には、図８（ｂ）に示した駆動音の波形と、図８（ｃ）に示したキ
ャンセル音の波形とが重ね合わされた波形が示されている。スピーカー１２２から出力さ
れるキャンセル音と、実際に発生している駆動音とは、周波数や振幅が完全に一致してい
るわけではないので、互いに完全に打ち消すことはできないが、少なくともキャンセル音
が出力されていないときに比べて、液体噴射装置１０の操作者に聞こえる騒音の音圧を減
少させることができる。
【００７３】
その後、液体室１０２内に気泡が混入するなどの動作異常が発生して駆動音が変化する
と、正常動作中の駆動音に合わせて最適化されたキャンセル音と、変化した駆動音とでは
、互いに打ち消し合うことができず、逆に相乗することによって、操作者には騒音が大き
くなったように感じられるので、動作異常の発生を容易に認識することができる。
【００７４】
以上に説明したように、第２変形例の液体噴射装置１０では、正常動作中の駆動音が最
も消音されるように、正弦波形のキャンセル音データの周波数、振幅、位相を調整して、
キャンセル音を出力させるようになっていてもよい。ピエゾ素子１１０への駆動電圧の印
加によって実際に発生する駆動音には様々な周波数成分が含まれていることから、正弦波
形のキャンセル音データを基に、実際の駆動音に合わせて周波数、振幅、位相を調整する
ようにすれば、正常動作中に発生する駆動音の音圧を減少させておくキャンセル音を簡便
に出力することができる。
【００７５】
尚、図８（ｃ）に示した例では、正弦波で近似されたキャンセル音の振幅は、振幅調整
ダイヤル２０６で調整された後は一定となっていた。しかし、実際に発生する駆動音の振
幅は駆動電圧の減少に伴って減衰する傾向にあることから、キャンセル音の振幅を減衰さ
せてもよい。この場合、キャンセル音制御部１２４に、キャンセル音データの振幅の減衰
率を調整するための減衰率調整ダイヤルを接続しておけば、キャンセル音の波形を駆動音
の波形に近づけることができるので、消音の精度をより高めることが可能となる。
【００７６】
以上、本発明の液体噴射装置について各種の実施形態を説明したが、本発明は上記すべ
ての実施形態に限られるものではなく、その要旨を逸脱しない範囲において種々の態様で
実施することが可能である。
【符号の説明】
【００７７】
１０…液体噴射装置、    ５０…噴射機構、    １００…ケース、
１０２…液体室、    １０４…供給流路、    １０６…噴射流路、
１０８…ダイアフラム、    １１０…ピエゾ素子、    １１２…ハウジング、
１１４…底板、    １１８…消音機構、    １２０…マイクロホン、
１２２…スピーカー、    １２４…キャンセル音制御部、    １２６…貫通孔、
１３０…流路管、    １３２…噴射口、    １４０…接続チューブ、
１５０…供給ポンプ、    １５２…液体通路、    １６０…液体タンク
【図１】
0005609194.tif 000002
【図２】
0005609194.tif 000003
【図３】
0005609194.tif 000004
【図４】
0005609194.tif 000005
【図５】
0005609194.tif 000006
【図６】
0005609194.tif 000007
【図７】
0005609194.tif 000008
【図８】
0005609194.tif 000009